(57)【要約】      （修正有）【課題】紐に癖がつくことなくコンパクトに且つスタイリッシュに縄跳びを収納可能であり、また、紐に付いた泥が、衣服やカバン等を汚す心配がない縄跳び収納具を提供する。【解決手段】縄跳び収納具は、底板２と、底板の中央近傍から突起したボビン３と、を備えた収納具本体１と、収納具本体と脱着可能に結合する蓋とを備え、底板は、外周近傍に縄跳びの紐を固定するための２個の紐固定部２ａを備えたことを特徴とするものである。【選択図】図１
0003192522.tif 000002
【実用新案登録請求の範囲】
【請求項１】
底板と、
当該底板の中央近傍から上方に突起したボビンと、
当該ボビンの上部に設けられた上部部材と
を備え、
上記底板と上記上部部材とは、
それぞれが離れた位置にある開放状態と、
それぞれの外周部近傍が略密着するすることで得られる略密閉状態と、
を得ることができる
ことを特徴とする縄跳び収納具。
【請求項２】
底板と、当該底板の中央近傍から突起したボビンと、を備えた収納具本体と、
上記収納具本体と脱着可能に結合する蓋と
を備えた請求項１に記載の縄跳び収納具。
【請求項３】
上記底板は、縄跳びの紐を固定するための２個の紐固定部を
備えたことを特徴とする請求項２に記載の縄跳び収納具。
【請求項４】
上記紐固定部は、上記底板の外周に設けられた切り欠けである
ことを特徴とする請求項３に記載の縄跳び収納具。
【請求項５】
上記収納具本体と上記蓋とは、嵌合により脱着可能に固定できる
ことを特徴とする請求項２から４のいずれかに記載の縄跳び収納具。
【請求項６】
硬質部材からなる略円柱状の芯と、
当該芯の円柱側面に密着して設けられた弾性部材からなるボビンと、
当該ボビンの底面より外に開くように設けられた弾性部材からなるドーナツ形状の底板と、
上記ボビンの上面より外に開くように設けられた弾性部材からなるドーナツ形状の上板と
を備えた請求項１に記載の縄跳び収納具。
【請求項７】
上記底板は、外周近傍にフックを
備えたことを特徴とする請求項１から６のいずれかに記載の縄跳び収納具。
【請求項８】
上記フックと、上記紐固定部とは、上記底板外周近傍の略対称位置に設けられた
ことを特徴とする請求項３または４に記載の縄跳び収納具。
【請求項９】
上記ボビンの中央部を空洞とした
ことを特徴とする請求項１から８のいずれかに記載の縄跳び収納具。
【請求項１０】
請求項１から９のいずれかに記載の縄跳び収納具と、
縄跳びと
を備えた縄跳びセット。
【考案の詳細な説明】
【技術分野】
【０００１】
本考案は、縄跳びを収納する収納具に関するものである。また、その収納具を備えた縄跳びセットに関するものである。
【背景技術】
【０００２】
縄跳びは、一人で手軽にできるスポーツとして、学童から大人に至る広い世代で親しまれている。
通常、縄跳びの使用後は、縄を二つ折りにして、全体を結ぶようにして収納する。そして、カバンやランドセルに押し込んで携帯するのが普通である。
【０００３】
しかし、このような携帯方法では、カバンやランドセルの中が煩雑になる。そこで、携帯性を考慮した縄跳びが考案されている。この考案は、縄跳びの紐の一方の把手の近傍に結束帯を固定し、この結束帯に名前の記入欄を設けると共に、結束用の止着具を取り付けたことで、他人の縄跳び具と容易に区別ができ、しかも使用後、小さく結束して携行することができる子供用縄跳び具に関するものである。（例えば、特許文献１）。
【先行技術文献】
【特許文献】
【０００４】
【特許文献１】実用新案登録第３１３０１４９号
【考案の概要】
【考案が解決しようとする課題】
【０００５】
上述した特許文献１に開示されている子供用縄跳び具は、縄跳びの紐を幾重にも折り返して結束体により結束する。したがって、紐に折り返しの癖が付いてしまい、縄跳びをする際に、紐が所望の滑らかな回転をせず、縄跳び運動に支障が生じてしまう。
【０００６】
また、雨上りの校庭等において縄跳びをした場合、紐に泥等が付着する場合がある。その泥を取らずに、紐を幾重にも折り返して結束体により結束するだけだと、紐に付いた泥が、衣服やカバン、あるいはカバンの中に入れた書籍等を汚すといった問題も生じる。
【課題を解決するための手段】
【０００７】
本考案の請求項１に係る縄跳び収納具は、底板と、当該底板の中央近傍から上方に突起したボビンと、当該ボビンの上部に設けられた上部部材とを備え、上記底板と上記上部部材とは、それぞれが離れた位置にある開放状態と、それぞれの外周部近傍が略密着するすることで得られる略密閉状態とを得ることができることを特徴とする。
【０００８】
本考案の請求項２に係る縄跳び収納具は、底板と、当該底板の中央近傍から突起したボビンと、を備えた収納具本体と、
上記収納具本体と脱着可能に結合する蓋とを備えたものである。
【０００９】
本考案の請求項３に係る縄跳び収納具は、上記底板が、縄跳びの紐を固定するための２個の紐固定部を備えたことを特徴とする。
【００１０】
本考案の請求項４に係る縄跳び収納具は、上記紐固定部が、上記底板の外周に設けられた切り欠けであることを特徴とする。
【００１１】
本考案の請求項５に係る縄跳び収納具は、上記収納具本体と上記蓋とが、嵌合により脱着可能に固定できることを特徴とする。
【００１２】
本考案の請求項６に係る縄跳び収納具は、硬質部材からなる略円柱状の芯と、当該芯の円柱側面に密着して設けられた弾性部材からなるボビンと、当該ボビンの底面より外に開くように設けられたドーナツ形状の底板と、上記ボビンの上面より外に開くように設けられたドーナツ形状の上板とを備えたものである。
【００１３】
本考案の請求項７に係る縄跳び収納具は、上記底板が、外周近傍にフックを備えたことを特徴とする。
【００１４】
本考案の請求項８に係る縄跳び収納具は、上記フックと、上記紐固定部とは、上記底板外周近傍の略対称位置に設けられたことを特徴とする。
【００１５】
本考案の請求項９に係る縄跳び収納具は、上記ボビンの中央部を空洞としたことを特徴とする。
【００１６】
本考案の請求項１０に係る縄跳び収納具セットは、縄跳び収納具と、縄跳びとを備えたものである。
【考案の効果】
【００１７】
本考案に係る縄跳び収納具は、上記のように構成されているので、紐に癖がつくことなくコンパクトに且つスタイリッシュに縄跳びを収納できる。
また、紐に付いた泥が、衣服やカバン等を汚す心配がない。
その他、後述する多くの長所を有している。
【図面の簡単な説明】
【００１８】
【図１】本考案の実施の形態１に係る縄跳び収納具の本体の（Ａ）斜視図と（Ｂ）断面図である。
【図２】本考案の実施の形態１に係る縄跳び収納具の蓋の（Ａ）上面図と（Ｂ）断面図である。
【図３】本考案の実施の形態１に係る縄跳び収納具の使用方法を説明する図である。
【図４】本考案の実施の形態１に係る縄跳び収納具の使用方法を説明する図である。
【図５】本考案の実施の形態１に係る縄跳び収納具の使用方法を説明する図である。
【図６】本考案の実施の形態１に係る縄跳び収納具の使用方法を説明する図である。
【図７】本考案の実施の形態２に係る縄跳び収納具の（Ａ）上面図と（Ｂ）側面図である。
【図８】本考案の実施の形態３に係る縄跳び収納具の開いた状態における（Ａ）斜視図と（Ｂ）断面図である。
【図９】本考案の実施の形態３に係る縄跳び収納具の閉じた状態における（Ａ）斜視図と（Ｂ）断面図である。
【図１０】本考案の実施の形態３に係る縄跳び収納具の使用方法を説明する図である。
【図１１】本考案の実施の形態３に係る縄跳び収納具の使用方法を説明する図である。
【考案を実施するための形態】
【００１９】
実施の形態１．
本考案に係る縄跳び収納具の構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００２０】
まず、図を用いて、本考案に係る縄跳び収納具の構成について説明する。縄跳び収納具は、収納具本体１と蓋４とからなるが、まず、収納具本体１の構成から説明する。
図１（Ａ）は縄跳び収納具本体１の斜視図、（Ｂ）は、（Ａ）において示した一点鎖線付近での断面図である。
収納具本体１は、底板２と、底板２の中央付近から突起したボビン３を備えている。
【００２１】
底板２は、例えば樹脂製の板状物である。本実施の形態においては、円盤状の形をしているが、楕円形や六角形等であっても良い。
底板２の外周近傍には、縄跳びの紐を固定するための２個の紐固定部２ａを近接して設けている。本実施の形態においては、紐固定部２ａは底板２の外周に設けられた切り欠けである。
また、底板２の外周近傍には、フック２ｂも設けられている。フック２ｂは、底板２に接着により固定しても良いが、本実施の形態においては、底板２とフック２ｂは樹脂の一体成型により形成されている。
さらに、底板２の外周近傍には、全周に渡って嵌合部２ｃが設けられている。
【００２２】
ボビン３は、底板２の中央付近から突起している。形状としては、図１（Ａ）に示すように、円柱である。この他に、楕円柱や角柱であっても良い。ボビン３は、その側面である巻きつけ部３ａに縄跳びの紐を巻きつけるものであり、紐を巻きつけやすい形状であれば、どのような形状であっても良い。
ボビン３の上面外周部には、嵌合部３ｂが形成されている。
【００２３】
なお、図１（Ｂ）に示すように、収納具本体１の中央付近は空洞になっている。必ずしも空洞にする必要は無いが、空洞にすることで、軽量化することができる。また、空洞に指を差し入れて収納具を持つことが可能となり、持ちやすさの点で有利である。
また、底板２とボビン３は、本実施の形態においては樹脂の一体成型により形成しているが、別々に形成し、接着等により固定しても良い。
【００２４】
次に、蓋４の構成を図２を用いて説明する。
蓋４は、収納具本体１を覆うことができるドーム形状の基体４ａからなり、収納具本体１と同様に、中央部付近が空洞になっている。そして、基体Ａの上部には嵌合部４ｂが、下部には嵌合部４ｃが設けられている。嵌合部４ｂは、ボビン３の上面外周部に設けられた嵌合部３ｂと嵌合可能な形状になっている。また、嵌合部４ｃは、底板２の外周近傍に設けられた嵌合部２ｃと嵌合可能な形状になっている。
【００２５】
なお、嵌合部４ｂと嵌合部３ｂ、嵌合部４ｃと嵌合部２ｃのいずれか一組の嵌合部ペアは、しっかりと差込めて着脱可能に固定できるように、嵌合部ペアのクリアランスを小さくしている。本実施の形態においては、嵌合部４ｂと嵌合部３ｂとは、差し込んでしっかりと固定できるようにクリアランスを調整してある。一方、嵌合部４ｃと嵌合部２ｃは、もう少しクリアランスを大きくしている。このようにすることで、中央付近の位置だけを合わせることで、蓋４を収納具本体１に嵌め込んで固定できる。ただし、中央部だけの固定では、全体的に不安定になるため、嵌合部４ｃと嵌合部２ｃを設けて、外周付近がずれて動かないようにしている。
なお、上記構成とは逆に、嵌合部４ｃと嵌合部２ｃとは差し込んでしっかりと固定できるようにクリアランスを調整し、嵌合部４ｂと嵌合部３ｂとはもう少しクリアランスを大きくし、中央部のずれが生じないようにしても良い。
【００２６】
次に、図３から図６を用いて、縄跳びの収納方法について説明する。
まず、図３に示すように、縄跳び５の紐５ｂの両端、すなわち両方のグリップ５ａの近くの部分の紐５ｂを、収納具本体１の紐固定部２ａに差し込んで固定する。
次に、図４に示すように、２つ折れになった紐５ｂを２つ折れの状態で、ボビン３の巻きつけ部３ａにぐるぐると巻きつける。
【００２７】
そして、巻きつけた後、蓋４を収納具本体１に差し込んで固定する。
この蓋４を閉めた状態における断面図が図５である。このように、縄跳び５の紐５ｂは、収納具に収納される。
また、収納時の上面図を図６に示す。
両方のグリップ５ａだけが収納具から出たスタイリッシュな形状で縄跳びを収納できる。
【００２８】
収納状態においては、収納具中央付近の空洞に指を差し入れて持つことができるし、グリップ５ａを持っても良い。
また、携帯時には、フック２ａを用いて、ランドセル等に吊下げることができる。あるいは、腰のベルト付近にフックを掛ける物を装着すれば、ジーンズ等の腰部に吊下げて携帯することもできる。
【００２９】
ボビン３は、硬質の樹脂製では無く、スポンジやゴム、あるいは軟質のフッ素樹脂等を用いても良い。軟質の材質を用いることで、縄跳び５の紐５ｂをよりしっかりと巻きつけることができる。
【００３０】
紐固定部２ａとしては、フックを用いて紐５ｂを引っ掛けることにより固定しても良い。あるいは、板バネ等を用いて紐５ｂを押さえつけて固定するようにしても良い。これらの場合には、紐固定部２ａを外周部ではなく、内周付近に設けても良い。ただし、上記のように切り欠けとした方が、製造コストの点で有利である。
【００３１】
収納具本体１と蓋４の固定方法に関しては、嵌合以外に、ロック機構を設けて固定しても良い。あるいは、磁石や面ファスナー等を用いて固定しても良い。
【００３２】
以下、本考案の特長についてまとめる。
本考案に係る縄跳び収納具は上記のように構成されているので、いかなる種類の縄跳びも収納可能であり、縄跳びが消耗した場合には、別の縄跳びの収納具として使用できる。縄跳びを日々のトレーニングとして行っている人々にとっては、縄跳びは消耗品であり、縄跳びの種類を問わず収納可能な収納具が求められていた。
一方で、本考案に係る縄跳び収納具は極めて簡素な構成であり、樹脂の成型等にて廉価で製造できるため、学童向けの縄跳び収納具としての使用にも適している。
【００３３】
また、紐に癖がつくことなくコンパクトに縄跳びを収納できるので、縄跳びをする際に快適に縄跳び運動を行うことができる。なお、２つ折れで紐を収納するため、紐の中央部にのみ癖がつく場合があるが、中央部の癖は、左右のバランスを崩すことは無く、縄跳びをする際にあまり問題にならない。
さらに２つ折れで紐を収納するので、紐が絡まり合うことはなく、収納具から取り出して、直ぐに縄跳びを行うことができる。また、巻き付けを短時間で行うことができる。
【００３４】
収納時の手順として、最初に紐の両端、すなわち、グリップに最も近い紐部分を紐固定部に固定し、その後に、紐をボビンに巻きつけるので、収納具とグリップが離れることは無く、コンパクトでスタイリッシュな形態で収納できる。したがって、持ち運びやすく、且つ、紐が何かに引っ掛かったりすることもない。
フックを利用してランドセルや衣服に吊るして携帯することが可能であり、その際には、グリップがぶらぶらと大きく揺れ動くこともなく、そういった観点でもスタイリッシュに携帯できる。特に、フックと紐固定部とを外周部の反対側（対称位置）に設けた場合には、図６に示すように収納具とグリップが真っ直ぐに並ぶので、すっきりとしたデザインになる。
【００３５】
さらに、紐のほとんどの部分を収納具の内部に収納するので、紐に付いた泥が、衣服やカバン等を汚す心配がない。
また、紐が樹脂製であっても、紫外線によって劣化する心配も無い。
【００３６】
また、中央に空洞部を設けているので、軽量且つ持ちやすい。
【００３７】
実施の形態２．
本考案の実施の形態２に係る縄跳び収納具の構成等に関して、以下において、図面を用いて説明する。
図７は、実施の形態２に係る縄跳び収納具の（Ａ）上面図と（Ｂ）側面図である。実施の形態１と異なる点は、収納具本体１と蓋４を回転可能に繋ぐヒンジ６を設けたことである。
【００３８】
このようにヒンジを設けることで、実施の形態１に述べた長所に加えて、収納動作がさらに容易になるという利点がある。また、収納具本体、蓋およびヒンジとを一体成型で形成することも可能であるので、製造が容易になる。
【００３９】
なお、このような一体構造においては、収納具本体と蓋との固定は、外部にロック機構を設けて行うことも有効である。一端がヒンジで結合されているので、他端のみにロック機構を設ければ良いからである。
【００４０】
実施の形態３．
本考案の実施の形態３に係る縄跳び収納具の構成等に関して、以下において、図面を用いて説明する。
図８（Ａ）は縄跳び収納具の開いた状態における斜視図、図８（Ｂ）は、その垂直面の断面図である。
本実施の形態に係る縄跳び収納具は、図８に示すように、底板７ａ、上板７ｂ、ボビン８および芯９から構成される。
底板７ａ、上板７ｂ、およびボビン８は、ゴム等の弾性部材で構成されている。
一方、芯９は、硬質の樹脂等で構成されている。
【００４１】
芯９は、円柱等の柱状形状であり、その柱状側面全周に渡ってボビン８が密着している。
そして、ボビン８の底面より外に開くようにドーナツ形状の底板７ａが設けられている。また、ボビン８の上面より外に開くようにドーナツ形状の上板７ｂが設けられている。
【００４２】
この開いた状態から、底板７ａの外周と上板７ｂの外周とが近づくように押してやると、図９に示す閉じた状態になる。
図９（Ａ）は縄跳び収納具の閉じた状態における斜視図、図９（Ｂ）は、その垂直面の断面図である。
底板７ａと上板７ｂとは、全体が平らな状態になる時が一番伸びた状態であり、一方、図８や図９の状態は、全体が平らな状態よりも縮んだ状態である。したがって、図８の開いた状態から、底板７ａの外周と上板７ｂの外周とが近づくように押してやると、全体が平らな一番伸びた状態を経由して、図９の閉じた状態になる。図９の状態は、底板７ａと上板７ｂが縮もうとしている状態であるので、底板７ａと上板７ｂとは、さらに縮もうとして、お互いに強く押し付け合う。したがって、強く閉じた状態になる。
【００４３】
次に、この縄跳び収納具の使用方法について説明する。
まず、開いた状態において、縄跳び５の紐５ｂをボビン８に巻きつける。巻き付けた状態を図１０（Ａ）に示す。グリップの記載は省略している。
図１０（Ａ）の状態から、底板７ａの外周と上板７ｂの外周とが近づくように押してやると、図１０（Ｂ）に示す閉じた状態になり、縄跳び５の紐５ｂが縄跳び収納具に収納される。
図１１は、最終的な収納状態を示す図である。
【００４４】
このように、硬質の芯と、弾性部材からなる底板、上板、およびボビンを備えた構成とすることで、さらに、収納動作が容易となる。
また、紐を内部に収納であるので、実施の形態１に述べた多くの長所も共有している。
【００４５】
以上、実施の形態１から３に開示した縄跳びの収納具においては、いずれも底板と、その中央近傍から上方に突起したボビンと、さらにボビンの上部に設けられた上部部材とを備えている。ここで、上部部材とは、実施の形態１および２においては蓋４であり、実施の形態３においては上板７ｂである。
そして、常時においては、底板と上部部材とは離れた状態にあり、したがってボビンに紐を巻きつけることができる。紐を巻きつけた後には、底板の外周部近傍と上部部材の外周部近傍とを略密着させることで、ほぼ密閉状態を得ることができる。密閉状態とは完全な密閉状態では無く、縄跳びの紐を出すために間隙以外には、間隙が無い状態である。
このように、紐を巻きつけることができる開放状態と、紐をしっかりと内部に収納できる略密閉状態を得ることができる構成であるので、ここまで述べた多くの特長が得られる。
【符号の説明】
【００４６】
１    収納具本体
２    底板
２ａ  紐固定部
２ｂ  フック
２ｃ  嵌合部
３    ボビン
３ａ  巻きつけ部
３ｂ  嵌合部
４    蓋
４ａ  蓋基体
４ｂ、４ｃ  嵌合部
５    縄跳び
５ａ  グリップ
５ｂ  紐
【図１】
0003192522.tif 000003
【図２】
0003192522.tif 000004
【図３】
0003192522.tif 000005
【図４】
0003192522.tif 000006
【図５】
0003192522.tif 000007
【図６】
0003192522.tif 000008
【図７】
0003192522.tif 000009
【図８】
0003192522.tif 000010
【図９】
0003192522.tif 000011
【図１０】
0003192522.tif 000012
【図１１】
0003192522.tif 000013
【手続補正書】
【提出日】平成26年6月13日(2014.6.13)
【手続補正１】
【補正対象書類名】実用新案登録請求の範囲
【補正対象項目名】全文
【補正方法】変更
【補正の内容】
【実用新案登録請求の範囲】
【請求項１】
底板と、
当該底板の中央近傍から上方に突起したボビンと、
当該ボビンの上部に設けられた上部部材と
を備え、
上記底板と上記上部部材とは、
それぞれが離れた位置にある開放状態と、
それぞれの外周部近傍が略密着することで得られる略密閉状態と、
を得ることができる
ことを特徴とする縄跳び収納具。
【請求項２】
底板と、当該底板の中央近傍から突起したボビンと、を備えた収納具本体と、
上記収納具本体と脱着可能に結合する蓋と
を備えた請求項１に記載の縄跳び収納具。
【請求項３】
上記底板は、縄跳びの紐を固定するための２個の紐固定部を
備えたことを特徴とする請求項２に記載の縄跳び収納具。
【請求項４】
上記紐固定部は、上記底板の外周に設けられた切り欠けである
ことを特徴とする請求項３に記載の縄跳び収納具。
【請求項５】
上記収納具本体と上記蓋とは、嵌合により脱着可能に固定できる
ことを特徴とする請求項２から４のいずれかに記載の縄跳び収納具。
【請求項６】
硬質部材からなる略円柱状の芯と、
当該芯の円柱側面に密着して設けられた弾性部材からなるボビンと、
当該ボビンの底面より外に開くように設けられた弾性部材からなるドーナツ形状の底板と、
上記ボビンの上面より外に開くように設けられた弾性部材からなるドーナツ形状の上板と
を備えた請求項１に記載の縄跳び収納具。
【請求項７】
上記底板は、外周近傍にフックを
備えたことを特徴とする請求項１から６のいずれかに記載の縄跳び収納具。
【請求項８】
上記底板は外周近傍にフックを備え、当該フックと、上記紐固定部とは、上記底板外周近傍の略対称位置に設けられた
ことを特徴とする請求項３または４に記載の縄跳び収納具。
【請求項９】
上記ボビンの中央部を空洞とした
ことを特徴とする請求項１から８のいずれかに記載の縄跳び収納具。
【請求項１０】
請求項１から９のいずれかに記載の縄跳び収納具と、
縄跳びと
を備えた縄跳びセット。